(57)【要約】      （修正有）【課題】袖付けに要する時間を短縮させることができるビジネスカジュアルウェアを提供する。【解決手段】ビジネスカジュアルウェアは、腕が通される楕円形状のアームホールを備えたシャツジャケットであって、アームホールを囲む楕円形状の袖地縫い線１１ｂと、袖地縫い線を囲む折り伏せ縫いの端部である折り伏せ端１１ｄと、を備え、袖地縫い線の周の長さは、アームホールの周の長さの１０５％以上且つ１０７％以下であり、折り伏せ端の周の長さは、アームホールの周の長さの１０７％以上且つ１０９％以下である。ミシンとアタッチメントを使って袖付けを行う時に、布が余りすぎて寄せにくい事態を回避でき、効率良く袖付けができる。【選択図】図５
0003224045.tif 000002
【実用新案登録請求の範囲】
【請求項１】
腕が通される楕円形状のアームホールを備えたビジネスカジュアルウェアであって、
前記アームホールを囲む楕円形状の袖地縫い線と、
前記袖地縫い線を囲む折り伏せ縫いの端部である楕円形状の折り伏せ端と、
を備え、
前記袖地縫い線の周の長さは、前記アームホールの周の長さの１０５％以上且つ１０７％以下であり、
前記折り伏せ端の周の長さは、前記アームホールの周の長さの１０７％以上且つ１０９％以下である、
ビジネスカジュアルウェア。
【考案の詳細な説明】
【技術分野】
【０００１】
本開示は、ビジネスウェア及びカジュアルウェアを含むビジネスカジュアルウェアに関する。
【背景技術】
【０００２】
特許文献１には、袖付き衣服、及び袖付き衣服用型紙が記載されている。袖付き衣服として、胴体を包む身頃と、身頃の両側のそれぞれに延びると共に腕を包む袖とを備えるジャケットが記載されている。身頃は腕が通されるアームホールである袖ぐりを有し、袖は身頃に取り付けられる袖山を有する。袖は、袖山が袖ぐりに合わせて縫い付けられることによって身頃に取り付けられている。
【０００３】
袖付き衣服用型紙は、袖山を形成する袖山曲線を有する。袖山曲線は、袖山の頂点を成す袖山点と袖幅線とを結ぶ袖山斜線に対して外側且つ上側に湾曲する外側袖山曲線と、袖山斜線に対して内側且つ下側に湾曲する内側袖山曲線とを含む。内側袖山曲線は、袖付き衣服用型紙の幅方向の両端側のそれぞれに、上方に突出する袖付け調整部を有する。袖付き衣服は、上方に突出する袖付け調整部を有することにより、腕が上方に回動されたときに生じる脇下部分の引っ張りの抑制を図っている。
【先行技術文献】
【特許文献】
【０００４】
【特許文献１】特開２０１２−１４４８２３号公報
【考案の概要】
【考案が解決しようとする課題】
【０００５】
前述したように、袖は、袖山がアームホールである袖ぐりに縫い付けられることによって身頃に取り付けられる。しかしながら、袖山を袖ぐりに縫い付ける作業は、袖山及び袖ぐりの周囲の構成が複雑であることにより、パイピング始末等を手縫いで行わざるを得ないという現状がある。すなわち、縫製が困難であるため袖付けを手縫いで行う必要があり、その結果、袖付けに多大な時間を要するという問題が生じうる。
【０００６】
本開示は、袖付けに要する時間を短縮させることができるビジネスカジュアルウェアを提供することを目的とする。
【課題を解決するための手段】
【０００７】
本考案に係るビジネスカジュアルウェアは、腕が通される楕円形状のアームホールを備えたビジネスカジュアルウェアであって、アームホールを囲む楕円形状の袖地縫い線と、袖地縫い線を囲む折り伏せ縫いの端部である楕円形状の折り伏せ端と、を備え、袖地縫い線の周の長さは、アームホールの周の長さの１０５％以上且つ１０７％以下であり、折り伏せ端の周の長さは、アームホールの周の長さの１０７％以上且つ１０９％以下である。
【０００８】
前述したビジュネスカジュアルウェアでは、楕円形状を成す袖地縫い線の周の長さがアームホールの周の長さの１０５％以上であり、楕円形状を成す折り伏せ端の周の長さがアームホールの周の長さの１０７％以上である。従って、袖地縫い線の長さ、及び折り伏せ端の長さを十分に確保することができるので、ミシンとアタッチメントを使って袖付けを行うときに、折り伏せステッチ線を確実に形成して布の突っ張りを生じないようにすることができる。また、袖地縫い線の周の長さがアームホールの周の長さの１０７％以下であり、折り伏せ端の周の長さがアームホールの周の長さの１０９％以下である。よって、ミシンとアタッチメントを使って袖付けを行うときに、布が余りすぎて寄せにくいといった事態を回避することができる。従って、前述したビジネスカジュアルウェアでは、ミシンとアタッチメントを使って効率よく袖付けを行うことができるので、袖付けに要する時間を短縮させることができる。その結果、例えばジャケットとしての感覚を得るために袖山の高さを高くしても、ミシンとアタッチメントを使って袖付けを効率よく行うことができるので、工業的な生産の実現によって生産性を向上させることができる。よって、コストが抑えられた究極のシャツジャケット等を効率よく製造販売することができる。
【考案の効果】
【０００９】
本開示によれば、袖付けに要する時間を短縮させることができるビジネスカジュアルウェアを提供することができる。
【図面の簡単な説明】
【００１０】
【図１】実施形態に係るビジネスカジュアルウェアを示す正面図である。
【図２】図１のビジネスカジュアルウェアを展開した図である。
【図３】図１のビジネスカジュアルウェアの袖の型紙を模式的に示す図である。
【図４】図３の型紙の袖山を拡大した図である。
【図５】図１のビジネスカジュアルウェアのアームホール、袖地縫い線及び折り伏せ端を模式的に示す図である。
【図６】（ａ）は、図１のビジネスカジュアルウェアの袖地縫いを説明する断面図である。（ｂ）は、図１のビジネスカジュアルウェアの折り伏せ縫いを説明する断面図である。
【図７】図６（ａ）の袖地縫いを行うときに用いられるアタッチメントを模式的に示す斜視図である。
【図８】（ａ）は、図６（ｂ）の折り伏せ縫いを行うときに用いられるアタッチメントを模式的に示す斜視図である。（ｂ）は、図８（ａ）のアタッチメントの模式的な断面斜視図である。
【考案を実施するための形態】
【００１１】
以下では、本考案の実施形態について図面を参照しながら詳細に説明する。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００１２】
本開示において、「ビジネスカジュアルウェア」は、ビジネスウェア及びカジュアルウェアを含んでおり、ビジネスウェアにはメンズビジネスウェアとレディースビジネスウェアが含まれる。「ビジネスカジュアルウェア」は、ボタンと襟を備える衣類を示しており、例えば、Ｙシャツ及びアロハシャツ等のシャツ、ジャケット、シャツジャケット、並びにアウターウェアを含んでいてもよい。
【００１３】
本実施形態では、ビジネスカジュアルウェアがシャツジャケット１である例について説明する。本実施形態に係るシャツジャケット１は、見た目はジャケットであるものの着た感じはシャツであり、例えば、ビジネスにおいて着用される。シャツジャケット１は、シャツの生地で形成されたジャケットであってもよく、上着として着られるシャツであってもよい。
【００１４】
図１は、シャツジャケット１を示す正面図である。図２は、シャツジャケット１の身頃２を示す図である。図１及び図２に示されるように、シャツジャケット１は、身頃２と一対の袖３と衿４とを備えており、例えば、身頃２はジャケットの身頃と同一であり、袖３はシャツの袖と同一であってもよい。また、シャツジャケットでは、袖３の袖付け周りのみがシャツの袖付け周りと同一であってもよい。
【００１５】
身頃２は前身頃２ｂ及び後身頃２ｃを含んでいる。前身頃２ｂには、例えば、複数のポケット５と複数のボタン６とが縫い込まれており、複数のボタン６のそれぞれは前身頃２ｂに形成された複数のボタン穴７のそれぞれに通される。一例として、ポケット５は、胸ポケット５ｂと、一対の腰ポケット５ｃとを含んでいる。
【００１６】
袖３は、袖口であるカフス３ｂを有し、後に詳述する身頃２のアームホール１０に取り付けられる。カフス３ｂには、例えば、複数のカフスボタン８が取り付けられている。図３は、袖３、及び袖３の型紙を示す図である。図３に示されるように、袖３は、アームホール１０に折り伏せ縫いによって縫い付けられる袖山１１と、袖３が丸められて互いに縫い込まれる一対の袖内縫い線１２と、カフス３ｂを形成する袖口１３とを備える。なお、袖山１１、袖内縫い線１２及び袖口１３の形状は、図３に示される形状に限られず適宜変更可能である。
【００１７】
図４は、袖山１１を拡大した図である。図４に示されるように、袖山１１は、身頃２に縫い込まれる袖地縫い線１１ｂと、袖地縫い線１１ｂよりも袖山１１の先端側（上側）に位置する折り伏せステッチ線１１ｃと、折り伏せ縫いの端部となる折り伏せ端１１ｄとを有する。
【００１８】
袖地縫い線１１ｂ、折り伏せステッチ線１１ｃ及び折り伏せ端１１ｄのそれぞれは、袖山１１の袖山曲線１１ｆに沿って延びており、袖地縫い線１１ｂと袖山曲線１１ｆの間に折り伏せステッチ線１１ｃ及び折り伏せ端１１ｄが形成されている。折り伏せ端１１ｄは、折り伏せステッチ線１１ｃよりも袖山曲線１１ｆ側に位置している。
【００１９】
例えば、袖地縫い線１１ｂ及び折り伏せステッチ線１１ｃの間隔Ｂ１は１０ｍｍであり、折り伏せステッチ線１１ｃ及び折り伏せ端１１ｄの間隔Ｂ２は２ｍｍであり、折り伏せ端１１ｄと袖山曲線１１ｆの間隔Ｂ３は６ｍｍである。折り伏せステッチ線１１ｃは折り伏せ縫いの縫い目を形成する線であり、折り伏せ端１１ｄは折り伏せ縫いにおいて折られた生地の端部を示している。例えば、袖山１１は、身頃２に位置合わせをするときの合い印となる複数のノッチ１１ｇを有し、各ノッチ１１ｇは袖地縫い線１１ｂから袖山曲線１１ｆまで延びている。
【００２０】
以上のように形成される袖山１１を備えた袖３は、袖地縫い線１１ｂ及び折り伏せステッチ線１１ｃを介して身頃２に縫い込まれると共に、袖山１１の幅方向の一端１１ｈ及び他端１１ｊを互いに近づけるように丸められることによって筒状とされる。図５は、身頃２のアームホール１０に取り付けられた袖３の袖地縫い線１１ｂ、折り伏せステッチ線１１ｃ及び折り伏せ端１１ｄを模式的に示す図である。
【００２１】
アームホール１０は、楕円形状とされていると共に腕が通される穴である。身頃２及び袖３の接合部分である袖地縫い線１１ｂ、及び折り伏せ端１１ｄは、共に、アームホール１０を囲む楕円形状とされる。身頃２のアームホール１０に対し、アームホール１０の周の長さの１０５％以上且つ１０７％以下の長さを有する袖３を縮めながら縫った袖地縫い線１１ｂが結果としてアームホール１０と合致する。従って、身頃２のアームホール１０に縫い込まれる前において、袖地縫い線１１ｂの長さはアームホール１０の周の長さよりも長い。また、折り伏せ端１１ｄは袖地縫い線１１ｂの外側に形成されている。
【００２２】
アームホール１０の周の長さをＬ（ｃｍ）とすると、例えば、袖地縫い線１１ｂ（身頃２に縫い込まれる前の袖地縫い線１１ｂ）の周の長さは１．０５×Ｌ（ｃｍ）以上且つ１．０７×Ｌ（ｃｍ）以下である。また、折り伏せ端１１ｄの周の長さは１．０７×Ｌ（ｃｍ）以上且つ１．０９×Ｌ（ｃｍ）以下である。すなわち、袖地縫い線１１ｂの周の長さはアームホール１０の周の長さの１０５％以上且つ１０７％以下であり、折り伏せ端１１ｄの周の長さはアームホール１０の周の長さの１０７％以上且つ１０９％以下である。
【００２３】
なお、袖地縫い線１１ｂの周の長さは、アームホール１０の周の長さの１０５．５％以上且つ１０６．５％以下であってもよく、一例として１０６％である。折り伏せ端１１ｄの周の長さは、アームホール１０の周の長さの１０７．５％以上且つ１０９％以下、又は１０８％以上且つ１０９％以下であってもよく、一例として、１０８．５％である。
【００２４】
次に、身頃２に袖３を縫い合わせる縫製方法について図６（ａ）及び図６（ｂ）を参照しながら説明する。まず、図６（ａ）に示されるように、身頃２の裏側２ｄを上、表側２ｆを下とし、袖３の裏側３ｄを下、表側３ｆを上とした状態で袖３に身頃２を重ねると共に、袖３の端部３ｇから身頃２の端部２ｇを長さＬ１だけ引っ込めた状態とする。また、身頃２の端部２ｇから長さＬ２内側、及び袖３の端部３ｇから長さＬ３内側、の箇所を袖地縫い線１１ｂとして、身頃２に対する袖３の袖地縫いを行う。例えば、長さＬ１の値は１２ｍｍであり、長さＬ２の値は６ｍｍであり、長さＬ３の値は１８ｍｍである。
【００２５】
身頃２に対する袖３の袖地縫いは、例えば、図７に模式的に示されるアタッチメント２０を用いて行われる。アタッチメント２０はミシンと共に用いられる。アタッチメント２０の形状及び大きさは、あくまで一例であって、必ずしも図７のアタッチメント２０の形状及び大きさに限定されない。一例としてのアタッチメント２０は、四角形状の下板部２１と、下板部２１に対向する四角形状の上板部２２とを備え、平面視において下板部２１の一辺２１ｂが上板部２２の一辺２２ｂよりも外側に位置している。
【００２６】
下板部２１の上面２１ｃには、身頃２の端部２ｇが当てられるストッパ２３が固定されている。ストッパ２３は、上面２１ｃに固定される第１板部２３ｂと、第１板部２３ｂの一辺２１ｂ側の端部から上板部２２に向かって延びる第２板部２３ｃとを含むＬ字状とされている。
【００２７】
平面視において、ストッパ２３の第２板部２３ｃは、上板部２２の一辺２２ｂの延長上に設けられていてもよく、第２板部２３ｃに身頃２の端部２ｇが当てられる。また、下板部２１の一辺２１ｂは、上方に折り返される折り返し部２１ｄの下端に位置しており、折り返し部２１ｄの内側に袖３の端部３ｇが当てられる。
【００２８】
また、下板部２１及び上板部２２のそれぞれは、平面視における内側に窪む凹部２１ｆ,２２ｆを有し、折り返し部２１ｄに当てられた袖３、及びストッパ２３に当てられた身頃２は、凹部２１ｆ,２２ｆから露出する。身頃２及び袖３の凹部２１ｆ，２２ｆから露出した部分に矢印Ｙに沿って縫い込みが行われることにより、図６（ａ）に示される身頃２に対する袖３の袖地縫いが行われる。
【００２９】
身頃２に対する袖３の袖地縫いの後には、図６（ｂ）に示されるように、袖３の端部３ｇを上方且つ端部２ｇ側に折り返して端部３ｇを端部２ｇに対向させると共に、身頃２における袖地縫い線１１ｂから見て端部２ｇの反対側の部分が上方且つ端部２ｇ側に折り返される。そして、身頃２及び袖３の折り伏せ縫いを折り伏せステッチ線１１ｃに沿って行う。
【００３０】
身頃２及び袖３の折り伏せ縫いは、例えば、図８（ａ）及び図８（ｂ）に示されるアタッチメント３０を用いて行われる。アタッチメント３０はミシンと共に用いられる。アタッチメント３０の形状及び大きさは、あくまで一例であって、必ずしも図８（ａ）及び図８（ｂ）のアタッチメント３０の形状及び大きさに限定されない。
【００３１】
一例としてのアタッチメント３０は、板状とされている。アタッチメント３０は、身頃２の下側に袖３を入り込ませる第１部分３１と、第１部分３１の上部に位置して袖３の上方に身頃２を入り込ませる第２部分３２とを備える。第１部分３１及び第２部分３２のそれぞれは、第１部分３１及び第２部分３２のそれぞれを板厚方向に貫通する貫通孔３０ｈを有する。
【００３２】
第１部分３１は、袖３の生地が通される凹部３１ｂと、袖３の端部３ｇが入り込む断面Ｕ字状の折り返し部３１ｃとを有する。折り返し部３１ｃは、凹部３１ｂから更に窪む凹み部３１ｄと、凹み部３１ｄにおける凹部３１ｂの反対側の端部から凹部３１ｂ側に折り返される挿入部３１ｆとを含んでいる。第１部分３１では、挿入部３１ｆに袖３の端部３ｇが挿入されることによって端部３ｇを折り返した状態で袖３を保持することが可能である。
【００３３】
第２部分３２は、第１部分３１の上方に位置しており、身頃２の端部２ｇが入り込む空間部３２ｂを有する。空間部３２ｂは、例えば、貫通孔３０ｈ側の端部において第１部分３１から上方に突出する第１突出部３２ｃ及び第２突出部３２ｄと、第１部分３１とによって区画形成される。第２部分３２では、空間部３２ｂに身頃２の端部２ｇが挿入されることによって端部２ｇを折り返した状態で身頃２を保持することが可能である。
【００３４】
上記のアタッチメント３０によって、図６（ｂ）に示されるように、端部３ｇが折り返された袖３の上に端部２ｇが折り返された身頃２を保持して折り伏せステッチ線１１ｃに沿って折り伏せ縫いが行われる。以上のように、身頃２及び袖３に袖地縫いと折り伏せ縫いが行われた後にシャツジャケット１における袖付けが完了する。
【００３５】
次に、本実施形態に係るシャツジャケット１から得られる作用効果について詳細に説明する。図５に示されるように、シャツジャケット１では、楕円形状を成す袖地縫い線１１ｂの周の長さがアームホール１０の周の長さの１０５％以上であり、楕円形状を成す折り伏せ端１１ｄの周の長さがアームホール１０の周の長さの１０７％以上である。従って、袖地縫い線１１ｂの周の長さ、及び折り伏せ端１１ｄの周の長さを十分に確保することができるので、ミシンとアタッチメント２０，３０を使って袖付けを行うときに、折り伏せステッチ線１１ｃを確実に形成して布の突っ張りを生じないようにすることができる。
【００３６】
また、袖地縫い線１１ｂの周の長さがアームホール１０の周の長さの１０７％以下であり、折り伏せ端１１ｄの周の長さがアームホール１０の周の長さの１０９％以下であることにより、ミシンとアタッチメント２０，３０を使って袖付けを行うときに、布が余りすぎて寄せにくいといった事態を回避することができる。
【００３７】
従って、シャツジャケット１では、ミシンとアタッチメント２０，３０を使って効率よく袖付けを行うことができるので、袖付けに要する時間を短縮することができる。よって、例えばジャケットとしての感覚を得るために袖山１１の高さを高くしても、ミシンとアタッチメント２０，３０を使って袖付けを効率よく行うことができる。その結果、工業的な生産の実現によって生産性を向上させることができる。よって、コストが抑えられたお値打ちの究極のシャツジャケット１を効率よく製造販売することができる。
【００３８】
現行のシャツジャケットでは、袖山の高さが１３ｃｍ以下でなければアタッチメントを用いて縫製を行うことができなかった。特に、袖山の高さが１６ｃｍ以上である場合には、袖山曲線のカーブがきつくなるため、アタッチメントを用いた縫製が困難であった。そこで、本実施形態に係るシャツジャケット１では、袖地縫い線１１ｂの周の長さがアームホール１０の周の長さの１０５％以上且つ１０７％以下であって、折り伏せ端１１ｄの周の長さがアームホール１０の周の長さの１０７％以上且つ１０９％以下としている。
【００３９】
この場合、袖山が高くても（例えば１６ｃｍ以上であっても）、アタッチメント２０，３０を用いて効率よく袖付けを行うことができる。袖地縫い線１１ｂの周の長さがアームホール１０の周の長さの１０６％、折り伏せ端１１ｄの周の長さがアームホール１０の周の長さの１０８．５％である場合、上記の効果が特に顕著になる。
【００４０】
以上、本考案に係るビジネスカジュアルウェアの実施形態について説明した。しかしながら、本考案は、前述した実施形態に限定されるものではなく、各請求項に記載した要旨を変更しない範囲において変形し、又は他のものに適用したものであってもよい。すなわち、前述の実施形態では、ビジネスカジュアルウェアがシャツジャケット１である例について説明した。しかしながら、本考案に係るビジネスカジュアルウェアは、例えば、Ｙシャツ、アロハシャツ、ジャケット又はアウターウェア等、シャツジャケット以外のものであってもよく適宜変更可能である。更に、ビジネスカジュアルウェアの各部の形状、大きさ、数、材料及び配置態様は、上記の要旨を変更しない範囲において適宜変更可能である。
【符号の説明】
【００４１】
１…シャツジャケット（ビジネスカジュアルウェア）、２…身頃、２ｂ…前身頃、２ｃ…後身頃、２ｄ…裏側、２ｆ…表側、２ｇ…端部、３…袖、３ｂ…カフス、３ｄ…裏側、３ｆ…表側、３ｇ…端部、４…衿、５…ポケット、５ｂ…胸ポケット、５ｃ…腰ポケット、６…ボタン、７…ボタン穴、８…カフスボタン、１０…アームホール、１１…袖山、１１ｂ…袖地縫い線、１１ｃ…ステッチ線、１１ｄ…折り伏せ端、１１ｆ…袖山曲線、１１ｇ…ノッチ、１１ｈ…一端、１１ｊ…他端、１２…袖内縫い線、１３…袖口、２０，３０…アタッチメント、２１…下板部、２１ｂ…一辺、２１ｃ…上面、２１ｄ…折り返し部、２１ｆ…凹部、２２…上板部、２２ｂ…一辺、２２ｆ…凹部、２３…ストッパ、２３ｂ…第１板部、２３ｃ…第２板部、３０ｈ…貫通孔、３１…第１部分、３１ｂ…凹部、３１ｃ…折り返し部、３１ｄ…凹み部、３１ｆ…挿入部、３２…第２部分、３２ｂ…空間部、３２ｃ…第１突出部、３２ｄ…第２突出部、Ｂ１，Ｂ２，Ｂ３…間隔、Ｙ…矢印。
【図１】
0003224045.tif 000003
【図２】
0003224045.tif 000004
【図３】
0003224045.tif 000005
【図４】
0003224045.tif 000006
【図５】
0003224045.tif 000007
【図６】
0003224045.tif 000008
【図７】
0003224045.tif 000009
【図８】
0003224045.tif 000010